(57)【要約】【課題】回折構造はその製造に高度な技術を要するが、近年の微細構造の解析技術の向上や微細加工技術の普及に伴い、回折構造を含んだ表示体の偽造が可能となりつつある。また、回折構造を含んだ表示体の普及に伴い、回折構造が提供する視覚効果の特殊性は低下しつつある。このような問題に対し、偽造防止効果の優れた表示体を提供すること。【解決手段】本発明の表示体１０は、光透過層の一方の主面に、一次元あるいは二次元的に配列した凹部１２ｂ又は凸部１２ａ又はその両方を含む凹凸構造領域１２を備え、前記一方の主面に支持され、前記凹凸構造領域１２の少なくとも一部を被覆する反射層を具備しており、前記複数の凹部１２ｂ又は凸部１２ａ又はその両方の中心間距離が２００ｎｍ乃至５００ｎｍの範囲内にあること、また反射層の厚みにより反射率を制御することを特徴とする。【選択図】図３
2010231002.tif 000002
【特許請求の範囲】
【請求項１】
光透過層の一方の主面の少なくとも一部に、一次元あるいは二次元的に配列した複数の凹部又は凸部又はその両方を含む凹凸構造領域を備え、前記一方の主面に支持され、前記凹凸構造領域の少なくとも一部を被覆する反射層を具備しており、
前記複数の凹部又は凸部又はその両方の中心間距離が２００ｎｍ乃至５００ｎｍの範囲内にあり、かつ前記反射層の少なくとも一部の厚みが１３０ｎｍ以上５００ｎｍ以下であることを特徴とする表示体。
【請求項２】
前記光透過層の一方の主面に、前記凹凸構造領域と共に、構造のない平坦領域を有することを特徴とする請求項１に記載の表示体。
【請求項３】
前記光透過層の一方の主面に、前記凹凸構造領域の凹部又は凸部の深さ又は高さが前記中心間距離の１／２以上であることを特徴とする請求項１乃至２に記載の表示体。
【請求項４】
前記反射層の少なくとも一部の厚みが、前記反射層の他の一部と厚みが異なることを特徴とする請求項１乃至３の何れかに記載の表示体。
【請求項５】
前記光透過層の一方の主面に前記凹凸構造領域を備え、  
前記一方の主面に支持され、前記凹凸構造領域の少なくとも一部を被覆する反射層と、  
前記一方の主面に支持され、少なくとも前記凹凸構造領域を被覆する樹脂層と、
を順次具備することを特徴とする請求項１から４のいずれかに記載の表示体。
【請求項６】
請求項１から５のいずれかに記載の表示体とこれを支持した物品とを具備したことを
特徴とするラベル付き物品。
【発明の詳細な説明】
【技術分野】
【０００１】
本発明は、偽造防止技術に関する。例えば、偽造防止技術の施された表示体やラベル付き物品に関する。
【背景技術】
【０００２】
キャッシュカード、クレジットカード及びパスポートなどの認証物品並びに商品券及び株券などの有価証券には、偽造が困難であることが望まれる。そのために従来から、そのような物品にはその偽造を抑止すべく、偽造又は模造が困難であると共に、偽造品や模造品との区別が容易なラベルが貼り付けられている。
また、近年では、認証物品及び有価証券以外の物品についても、偽造品の流通が問題視されている。そのため、このような物品に、認証物品及び有価証券に関して上述した偽造防止技術を適用する機会が増えている。
【０００３】
このような目的では、従来から、観察角度等に応じた色変化（カラーシフト）を生じるＯＶＤ（ｏｐｔｉｃａｌ  ｖａｒｉａｂｌｅ  ｄｅｖｉｃｅ）などが利用されている。ＯＶＤとしては、例えば、多層膜、ホログラム及び回折格子がある。
【０００４】
多層膜は、光学特性が異なるセラミックや金属を幾重にも積層した構造を有している。多層膜では、各層の光学的厚さを適宜設計することにより、或る波長の光に強め合う干渉を生じさせ、他の波長の光に弱め合う干渉を生じさせることができる。界面間の光路長は観察角度に応じて変化するので、観察角度を変化させると、強め合う干渉を生じる光の波長と弱め合う干渉を生じる光の波長とが変化する。このような原理で、多層膜は、観察角度に応じたカラーシフトを生じる。
【０００５】
ホログラム及び回折格子などの回折構造は、例えば、微細な凹凸パターンからなるか、又は、縞状の屈折率分布が設けられた層からなる。回折構造は、白色光で照明すると、回折光を波長に応じて異なる角度で射出する。回折構造がカラーシフトを生じるのは、この分光作用などのためである。
【０００６】
このように、ＯＶＤ、特に回折構造は、特徴的な視覚効果を有している。そして、回折構造を利用すると、立体画像や虹色に輝く特殊な装飾画像などの複雑な画像を表示させることができる。加えて、以下に説明するように、回折構造は、その製造に高度な技術を要する。
【０００７】
ホログラムは、例えば、体積型ホログラムとレリーフ型ホログラムとに分類することが
できる。
【０００８】
体積型ホログラムの製造では、感光性樹脂等の記録材料からなる層に３次元的に干渉縞を記録する。体積型ホログラムとしては、リップマンホログラムが一般的に使用されている。
【０００９】
レリーフ型ホログラムの製造では、まず、レーザー光の干渉を利用した光学的撮影方法、又は電子線描画などにより、表面に微細な凹凸パターンが設けられた樹脂層を含んだ原版を作製する。次に、この原版から、電鋳等により金属製スタンパを作製する。その後、ポリエチレンテレフタレート（ＰＥＴ）等からなる基材の平坦面上に熱可塑性樹脂や光硬化性樹脂等を塗布し、これに先の金属製スタンパを密着させる。この状態で熱や光を与えて樹脂を硬化させ、更に樹脂層から金属性スタンパを剥離することによりレリーフ型ホログラムを得る。
【００１０】
回折格子の製造は、例えば、レリーフ型ホログラムの製造について説明したのと同様の方法により行う。
【００１１】
なお、特許文献１には、回折格子を用いて立体画像を表示する表示体が記載されている。また、特許文献２には、画素構造を採用した表示体が記載されている。回折格子に対する照明光の入射角を固定して回折格子を白色光で照明した場合、この回折格子が表示する色は、回折格子の格子定数、即ち、回折格子を構成している格子線の空間周波数と、観察方向が回折格子の法線に対して為す角度と、格子線が観察方向と回折格子の法線とに平行な平面に対して為す角度とによって決定される。従って、表示体を複数の画素で構成した場合、表示すべき画像の色から、各画素の回折格子に採用すべき構造を特定することができる。このような画素構造を採用すると、表示体の設計が容易になる。
【００１２】
上記の通り、回折構造は、特徴的な視覚効果を提供することができ、その製造に高度な技術を要する。このため、偽造防止効果を期待して、回折構造を含んだ表示体を上述した物品に支持させることがある。また、上記の通り、回折構造は特徴的な視覚効果を提供し得るため、装飾材や絵本及びカタログ等の一般的な印刷物に利用されることもある。
【先行技術文献】
【特許文献】
【００１３】
【特許文献１】米国特許第５０５８９９２号明細書
【特許文献２】特開平６−８２６１２号公報
【発明の概要】
【発明が解決しようとする課題】
【００１４】
上述したように、回折構造はその製造に高度な技術を要するが、近年の微細構造の解析技術の向上や微細加工技術の普及に伴い、回折構造を含んだ表示体の偽造が可能となりつつある。即ち、回折構造を含んだ表示体の偽造防止効果は低下しつつある。
また、回折構造を含んだ表示体の普及に伴い、回折構造が提供する視覚効果の特殊性は低下しつつある。
【００１５】
本発明の目的は、偽造が困難であり且つ特殊な視覚効果を提供し得る表示体を実現することにある。
【課題を解決するための手段】
【００１６】
上記の課題を解決するための手段として、請求項１に記載の発明は、光透過層の一方の主面の少なくとも一部に、一次元あるいは二次元的に配列した複数の凹部又は凸部又はその両方を含む凹凸構造領域を備え、前記一方の主面に支持され、前記凹凸構造領域の少なくとも一部を被覆する反射層を具備しており、
前記複数の凹部又は凸部又はその両方の中心間距離が２００ｎｍ乃至５００ｎｍの範囲内にあり、かつ前記反射層の少なくとも一部の厚みが１３０ｎｍ以上５００ｎｍ以下であることを特徴とする表示体である。
【００１７】
また、請求項２に記載の発明は、前記光透過層の一方の主面に、前記凹凸構造１２と共に、構造のない平坦領域１４を有することを特徴とする請求項１に記載の表示体である。
【００１８】
また、請求項３に記載の発明は、前記光透過層の一方の主面に、前記複数の凹部１２ｂ又は凸部１２ａの深さ又は高さが前記中心間距離の１／２以上であることを特徴とする請求項１乃至２に記載の表示体である。
【００１９】
また、請求項４に記載の発明は、前記反射層の少なくとも一部の厚みが、他の反射層と厚みが異なることを特徴とする請求項１乃至３の何れかに記載の表示体である。
【００２０】
また、請求項５に記載の発明は、  前記光透過層１１の一方の主面に前記凹凸構造領域１２を備え、  前記一方の主面に支持され、前記凹凸構造領域１２の少なくとも一部を被覆する反射層１３と、  前記一方の主面に支持され、少なくとも前記凹凸構造領域１２を被覆する樹脂層と、を順次具備することを特徴とする請求項１から４のいずれかに記載の表示体である。
【００２１】
また、請求項６に記載の発明は、請求項１から５のいずれかに記載の表示体とこれを支持した物品とを具備したことを特徴とするラベル付き物品である。
【発明の効果】
【００２２】
本発明は、見易い正面からの観察では、従来のホログラムや回折格子には見られない黒さを表現することができ、また、従来のホログラムや回折格子と組み合わせることにより、偽造防止効果と意匠性を高めるとともに、正面から大きく傾けて観察したときは絵柄、文字、記号等を表示することで真偽判定を容易にすることができる表示体及びこれを用いた物品を提供することを目的とする。
なお、表示体とは、文字、絵、図柄等の情報を光強度の変化で提示し、目視や、機械読
み取りによって確認できるものである。
【００２３】
請求項１に記載の発明によれば、光透過層の一方の主面の少なくとも一部に、一次元あるいは、二次元的に配列した複数の凹部１２ｂ又は凸部１２ａ又はその両方を含む凹凸構造領域１２を備え、前記一方の主面に支持され、前記凹凸構造領域１２の少なくとも一部を被覆する反射層を具備しており、前記複数の凹部１２ｂ又は凸部１２ａ又はその両方の中心間距離が２００ｎｍ乃至５００ｎｍの範囲内にすることで、凹部１２ｂまたは凸部１２ａの表面積を大きくでき、これによって、光の吸収を大きくし、従来のホログラムや回折格子では表現できなかった黒色乃至灰色を表現することが可能となり、かつ前記反射層の少なくとも一部の厚みが１３０ｎｍ以上５００ｎｍ以下にすることで、反射層の精確な厚み制御を行わずして均一な性能を発揮することが可能となる。なお、「黒色乃至灰色」は、波長が４００ｎｍ乃至７００ｎｍの範囲内にある全ての光成分について反射率が５０％以下であることを意味する。
【００２４】
本発明の概要を、図１、３を用いて説明する。図１は凹凸構造１２の説明用斜視図である。図２は図１に示すＡ−Ａ’線に沿った凹凸構造１２の断面図、図３は表示体１０を観察するときの説明図である。
光透過層１１の一方の主面に、一次元あるいは、二次元的に配列した凹部１２ｂ又は凸部１２ａ又はその両方を含む凹凸構造領域１２の少なくとも一部を反射層１３で被覆することで、反射層１３の表面積を大きくでき、それにより、光の吸収を大きくする。
正面で観察した場合（ＶＷ１）、光源ＬＳから照明光ＬＩの正反射光ＬＲ１が小さくなり、黒色乃至灰色を表現することができる。また、前記凹凸構造１２の中心間距離２００ｎｍ以上乃至５００ｎｍ以下にすることにより、凹凸構造１２による回折光ＬＤ１が表示体の正面方向に発生せず、正面方向に対し、大きな角度に回折光が発生するので、正面から大きく傾けて観察したとき（ＶＷ２）のみ、回折光による絵柄、文字、記号等を表示することが可能になる。
【００２５】
次に、前記反射層１３の厚みによる前記凹凸構造の反射率、透過率の変化を図４に示す。
図４は、図１に斜視図、図２に断面図を示している椀形状凹部１２ｂ（高さＨ４００ｎｍ、中心間距離Ｐ３００ｎｍ）と椀形状凹部１２ｂ（高さＨ４００ｎｍ、中心間距離Ｐ４００ｎｍ）、平坦部のそれぞれが正方格子状に設けられたアルミニウム（Ａｌ）からなる反射層について、ＦＤＴＤ（ｆｉｎｉｔｅ  ｄｉｆｆｅｒｅｎｃｅ  ｔｉｍｅ  ｄｏｍａｉｎ）法による垂直入射の反射率、透過率シミュレーションを光の波長５３２ｎｍで行うことによって得られたデータを示している。
【００２６】
このシミュレーション結果より、前記反射層Ａｌの厚みが１５０ｎｍ以上５００ｎｍ以下であるとき、凹凸構造のＡｌの厚みによる変化および、平坦部のＡｌの厚みによる変化はない。
この範囲では、Ａｌの厚みを精確に制御しなくても安定した性能を示すことが可能である。図２に示す反射層の厚みムラ１３ｂが発生しても、観察者はその違いを区別することができないため、欠陥とはならない。また、５００ｎｍ以下にすることにより、前記表示体を大量生産に向く、フィルム形状で作製することができる。
【００２７】
請求項２に記載の発明によれば、前記光透過層１１の一方の主面に、前記凹凸構造１２と共に、平坦領域１４を有することで、凹凸構造領域１２の黒色乃至灰色と、平坦領域１４の鏡面反射を並べることによりコントラストの高い表現が可能となる。
【００２８】
請求項３に記載の発明によれば、前記凹凸構造領域１２の凹部１２ｂ又は凸部１２ａの深さ又は高さが前記中心間距離の１／２以上にすることで、光の吸収を大きくし、より暗い黒を表現することができる。
【００２９】
請求項３に記載の発明によれば、前記凹凸構造領域１２の凹部１２ｂ又は凸部１２ａの深さ又は高さが前記中心間距離の１／２以上にすることで、光の吸収を大きくし、より暗い黒を表現することができる。
【００３０】
請求項４に記載の発明によれば、前記反射層の少なくとも一部の厚みを、前記反射層の他の一部と厚みと異なるせることで、前記反射層の両方の厚みが１３０ｎｍから５００ｎｍの場合は、前記反射層の厚みの違いを観察者に隠すことができ、また、前記反射層の片方の厚みを１３０ｎｍ以下にすることで、前記凹凸構造の形状起因ではなく、前記反射層の厚み起因による違いを明確に観察者に示すことが可能となる。
【００３１】
請求項５に記載の発明によれば、前記光透過層１１の一方の主面に前記凹凸構造領域１２を備え、  前記一方の主面に支持され、前記凹凸構造領域１２の少なくとも一部を被覆する反射層１３と、前記一方の主面に支持され、少なくとも前記凹凸構造領域を被覆する樹脂層と、を順次具備することで、前記凹凸構造領域１２を保護することができる。
【００３２】
請求項６に記載の発明によれば、物品に前記表示体を具備することにより、偽造防止効果の高いラベル付き物品が提供することができる。
【図面の簡単な説明】
【００３３】
【図１】本発明の凹凸構造１２の説明用斜視図。
【図２】図１に示すＡ−Ａ’線に沿った凹凸構造の断面図。
【図３】本発明の表示体１０を観察するときの効果説明図。
【図４】本発明の表示体１０の反射層１３の厚みと反射率／透過率との関係の一例を示すグラフ。
【図５】本発明の第１態様に係る表示体を概略的に示す平面図。
【図６】本発明の第２態様に係る表示体を概略的に示す平面図。
【図７】図６に示すＢ−Ｂ’線に沿った凹凸構造１２の断面図。
【図８】図６に示すＢ−Ｂ’線に沿った凹凸構造１２に被覆している反射層１３の厚みを示すグラフ。
【図９】本発明の第３態様に掛かる偽造防止用又は識別用ラベルを物品に支持させてなるラベル付き物品の一例を概略的に示す平面図。
【図１０】粘着ラベルの一例を概略的に示す断面図。
【図１１】凹凸構造１２に採用可能な構造の例を概略的に示す斜視図。
【図１２】凹凸構造１２に採用可能な構造の例を概略的に示す斜視図。
【図１３】凹凸構造１２に採用可能な構造の例を概略的に示す斜視図。
【図１４】凹凸構造１２に採用可能な構造の例を概略的に示す斜視図。
【図１５】表示体の一変形例を概略的に示す斜視図。
【発明を実施するための形態】
【００３４】
以下、本発明に係る表示体及びこれを用いた物品の具体的な実施の形態について図面を参照して説明する。
【実施例１】
【００３５】
以下、本発明の態様について、図面を参照しながら詳細に説明する。なお、各図において、同様又は類似した機能を発揮する構成要素には同一の参照符号を付し、重複する説明は省略する。
図５は、本発明の第１態様に係る表示体１０を概略的に示す平面図である。ＤＰ１は椀形状凹部１２ｂ（高さＨ４００ｎｍ、中心間距離Ｐ３００ｎｍ）で構成された領域で、ＤＰ２は椀形状凹部１２ｂ（高さＨ４００ｎｍ、中心間距離Ｐ４００ｎｍ）で構成された領域である。ＤＰ３は平坦領域である。また、前記表示体１０は反射層１３として全体に１５０ｎｍのＡｌが被覆されている。
反射層１３としては、例えば、アルミニウム、銀、金及びそれらの合金などの金属材料また、金属インクからなる金属層を使用することができる。或いは、反射層１３として、光透過性とは屈折率が異なる誘電体層を使用してもよい。或いは、反射層１３として、隣り合うもの同士の屈折率が異なる誘電体層の積層体、すなわち、誘電体多層膜、を使用してもよい。但し、誘電体多層膜が含む誘電体層のうち光透過層と接触しているものの屈折率は、光透過層の屈折率とは異なっている必要がある。
本発明の表自体１０を図４と同様に光源ＬＳからの照明光ＬＩ角度を３０度とし、正反射方向で観察した場合（ＶＷ１）、ＤＰ１、ＤＰ２からの反射光は弱く（図４より）、違いを識別することは難しい。また、鏡面となるＤＰ３からの反射光はＤＰ１、ＤＰ２に対し、高い反射率を有するため、コントラストの高い画像が表示される。
次に正面から大きく傾けて観察した場合（観察角度７０度ＶＷ２）、ＤＰ１からは青い回折光ＬＤ１（波長４３２ｎｍ）が、また、ＤＰ２からは黄色い回折光ＬＤ１（波長５７６ｎｍ）を観察することができ、ＤＰ１とＤＰ２を識別することが可能となる。また、ＤＰ３の平坦領域は暗くなる。以上の特殊な視覚効果を有することで、偽造防止効果を高め、また、表示体の審議判定も容易に行うことが可能となる。
【実施例２】
【００３６】
図６は、本発明の第２態様に係る表示体１０を概略的に示す平面図である。図７は図６に示す表示体のＢ−Ｂ’線に沿った断面図であり、図８は図６に示す表示体のＢ−Ｂ’線上の反射層（Ａｌ）の厚みの分布を示した図である。
図６の表示体は第１態様と同様にＤＰ１、ＤＰ２、ＤＰ３から構成されている。しかし、図７、８に示すとおり、反射層として皮膜されているＡｌの厚みを５０ｎｍから２００ｎｍへと、連続的に変化させている。
ＤＰ２ａでは、反射層Ａｌの厚みは５０ｎｍから１３０ｎｍと連続的に変化している。そのため、図４に示すとおり連続的に反射率が変化するため、黒色乃至灰色のグラデーションを表現することが可能である。しかし、凹凸構造１２の違いはないため、凹凸構造１２の解析では違いは現れない。また、ＤＰ２ｂにおいては、反射層Ａｌの厚みは１５０ｎｍから２００ｎｍまで変化しているが、ＤＰ２ｂ内の反射率の変化はなく、均一の反射率を示すことが可能となる。
また、平坦領域であるＤＰ３では、Ａｌの厚みの差異にかかわらず、ほぼ等しい反射率を有するため、表示体１０を目視するだけでは、反射体１３の厚みの違いを認識することは困難であり、偽造防止効果を高めることが可能である。
【実施例３】
【００３７】
図１０は、偽造防止用又は識別用ラベルを物品に支持させてなるラベル付き物品の一例を概略的に示す平面図である。
【００３８】
図１０には、ラベル付き物品の一例として、印刷物を描いている。この印刷物は、ＩＤ（ｉｄｅｎｔｉｆｉｃａｔｉｏｎ）カードであって、印刷物本体２０を含んでいる。
【００３９】
印刷物本体２０は、基材２１０を含んでいる。基材２１０は、例えば、プラスチックからなる。基材２１０上には、印刷層２２０が形成されている。基材２１０の印刷層２２０が形成された面には、上述した表示体１０が例えば粘着層３０を介して固定されている。表示体１０は、例えば、粘着層３０又は接着層５０を介して貼りつけることにより、基材２１０に固定する。
【００４０】
この印刷物は、表示体１０を含んでいる。それゆえ、この印刷物の偽造又は模造は困難である。また、この印刷物は、表示体１０を含んでいるので、真正品であるかが不明の物品を真正品と非真正品との間で判別することも容易である。しかも、この印刷物２０は、表示体１０に加えて、印刷層２２０を更に含んでいるため、これを利用した偽造防止対策を採用することができる。
【００４１】
なお、図１０には、表示体１０を含んだ印刷物としてＩＤカードを例示しているが、表示体１０を含んだ印刷物は、これに限られない。例えば、表示体１０を含んだ印刷物は、磁気カード、無線カード及びＩＣ（ｉｎｔｅｇｒａｔｅｄ  ｃｉｒｃｕｉｔ）カードなどの他のカードであってもよい。或いは、表示体１０を含んだ印刷物２０は、商品券及び株券などの有価証券であってもよい。或いは、表示体１０を含んだ印刷物２０は、真正品であることが確認されるべき物品に取り付けられるべきタグであってもよい。或いは、表示体１０を含んだ印刷物は、真正品であることが確認されるべき物品を収容する包装体又はその一部であってもよい。
【００４２】
また、図１０に示す印刷物２０では、表示体１０を基材４０に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【００４３】
また、ラベル付き物品は、印刷物でなくてもよい。即ち、印刷層を含んでいない物品に表示体１０を支持させてもよい。例えば、表示体１０は、美術品などの高級品に支持させてもよい。
【００４４】
表示体１０は、偽造防止以外の目的で使用してもよい。例えば、表示体１０は、玩具、学習教材又は装飾品等としても利用することができる。
【００４５】
これらのラベル付き物品の製造には、例えば、粘着ラベル又は転写箔を利用することができる。
【００４６】
図９は、粘着ラベルの一例を概略的に示す断面図である。
この粘着ラベルは、上述した表示体１０と粘着層３０とを含んでいる。粘着層３０は、表示体１０にその表示面の裏面側で支持されている。即ち、粘着層３０は、表示体１０の表示面の裏面を被覆している。粘着ラベルは、粘着層３０を剥離可能に被覆する剥離紙を更に含んでいてもよい。
【００４７】
上述した表示体１０には、様々な変形が可能である。例えば、先の表示体１０は、二次元的に配列した椀形状凹部１２ｂからなる凹凸構造１２を含んだ表示部として、２つの表示部ＤＰ１及びＤＰ２のみを含んでいるが、表示体１０は、このような表示部を３つ以上含んでいてもよい。また、凹凸構造１２として一次元的に配列した回折格子でもよい。
【００４８】
また、ここでは、凹部１２ｂが椀形状凹部１２ｂである例を説明したが、それら凹凸構造の形状は椀形状凹部１２ｂに限られない。
【００４９】
図１１乃至図１４は、凹凸構造１２に採用可能な構造の例を概略的に示す斜視図である。
凹凸構造１２は、柱状や、截頭錐体形状、錐体形状、錐体と柱体とを組み合わせた形状、半球体、半楕円体又はそれらを変形させた形状を有していてもよい。
【００５０】
また、光透過層１１には、凹部１２ｂの代わりに、凸部１２ａを設けてもよい。
【００５１】
図１５は、表示体の一変形例を概略的に示す斜視図である。
なお、図１５では、表示体１０の一部を観察した様子を描いている。
【００５２】
この表示体１０は、凹凸構造１２に、凹部１２ｂの代わりに凸部１２ａが設けられていること以外は先に説明した表示体１０と同様である。このように、凹部１２ｂ代わりに凸部１２ａを設けた場合も、上述した効果を得ることができる。
【符号の説明】
【００５３】
１０…表示体、１１…光透過層、１２…凹凸構造、１３…反射層、１４…平坦領域、
２０…印刷物本体、３０…粘着層、４０…基材、５０…接着層、１３０…剥離保護層、
２１０…基材、２２０…印刷層、ＤＰ１…表示部、ＤＰ２…表示部、ＤＰ３…表示部、
ＬＤ１…回折光、ＬＲ１…反射光、ＬＳ…光源、ＬＩ・・・照明光、ＶＷ１…観察者、
ＶＷ２…観察者
【図１】
2010231002.tif 000003
【図２】
2010231002.tif 000004
【図３】
2010231002.tif 000005
【図４】
2010231002.tif 000006
【図５】
2010231002.tif 000007
【図６】
2010231002.tif 000008
【図７】
2010231002.tif 000009
【図８】
2010231002.tif 000010
【図９】
2010231002.tif 000011
【図１０】
2010231002.tif 000012
【図１１】
2010231002.tif 000013
【図１２】
2010231002.tif 000014
【図１３】
2010231002.tif 000015
【図１４】
2010231002.tif 000016
【図１５】
2010231002.tif 000017